(57)【特許請求の範囲】
【請求項１】
音声を音声信号に変換する内蔵のマイクと、
音声信号を音声に変換する内蔵のスピーカと、
音声信号を記憶するメモリ手段と、
該メモリ手段に記憶された音声信号を読み出す再生手段と、
前記マイクのオン・オフを切り替えるための操作子を有するスイッチ手段と、
前記マイクから入力される音声信号と前記再生手段によって読み出された音声信号とをミキシングして前記メモリ手段に記憶させる手段と、
前記スイッチ手段により前記マイクがオンにされている場合には前記スピーカをオフにし、該スイッチ手段により前記マイクがオフにされている場合に前記スピーカをオンにするスピーカオン・オフ制御手段とを設けたことを特徴とするポータブルミキシング記録装置。
【請求項２】
請求項１記載のポータブルミキシング記録装置であって、
前記マイクから入力される音声信号のレベルを調整する入力レベル調整手段と、その調整後の音声信号のレベルを表示するレベルメータとを有することを特徴とするポータブルミキシング記録装置。
【発明の詳細な説明】
【０００１】
【発明の属する技術分野】
この発明は、内蔵のマイクと内蔵のスピーカとを有し、フラッシュメモリ等のメモリ手段に記憶されている音声信号と内蔵のマイクから入力される音声信号とをミキシングして記憶することのできるポータブル・ミキシング記録装置に関する。
【０００２】
【従来の技術】
従来から、複数のトラックに録音を行うマルチトラック機能や、複数の入力音信号をミキシングして記憶するミキシング機能を有する音楽製作用デジタルレコーダが知られている。このようなデジタルレコーダとして、携帯可能な小型のポータブルミキシング記録装置も登場しており、そのような装置を用いることにより、出先でも容易に音楽等の音声データの録音や編集を行うことができる。そして、録音操作を容易に行うことができるように、このような装置にマイクを内蔵したものも知られている。また、ミキシング機能やマルチトラック機能を持たないポータブル・デジタルレコーダでは、マイクとスピーカの両方を内蔵したものも知られている。
しかし、マイクとスピーカの両方を内蔵した場合でも、これらを同時に動作させるとハウリングが発生しやすく、その状態で録音を行った場合、音声の録音品質が悪くなる。そこで、従来は、録音ボタンが押下され録音モードで動作する場合のみ内蔵マイクをオンにし、その場合に内蔵スピーカをオフにする制御を行って、ハウリングが起こらないようにしていた。
【０００３】
【発明が解決しようとする課題】
ところで、ミキシング機能やマルチトラック機能を有する装置については、特に、既に記録してある音声信号とマイクから入力した音声信号とをミキシングして元の音声信号に上書きするオーバーダビングを繰り返す場合に、小さなハウリングであってもこれが累積され、音質の低下が著しくなるので、ハウリングの防止は重要である。しかし一方で、ミキシングやオーバーダビングを行う場合には、録音前に、記録してある音声信号や入力する音声信号のレベルを細かく調整し、ミキシングに供する音声信号の間でレベルのバランスを取る必要もある。
このような要求に対し、従来のように録音ボタンと内蔵のマイク及びスピーカのオン・オフを連動させて制御してしまうと、録音前に内蔵のマイクを動作させてレベル調整を行うことができないという問題があった。
この発明は、このような問題を解決し、ポータブルミキシング記録装置において、ハウリングを防止し、繰り返しオーバーダビングを行う場合でも音質の劣化を防止できるようにすると共に、録音前にも内蔵のマイクを動作させて入力する音声信号のレベル調整を行うことができるようにすることを目的とする。
【０００４】
【課題を解決するための手段】
上記の目的を達成するため、この発明のポータブルミキシング記録装置は、音声を音声信号に変換する内蔵のマイクと、音声信号を音声に変換する内蔵のスピーカと、音声信号を記憶するメモリ手段と、そのメモリ手段に記憶された音声信号を読み出す再生手段と、上記マイクのオン・オフを切り替えるための操作子を有するスイッチ手段と、上記マイクから入力される音声信号と上記再生手段によって読み出された音声信号とをミキシングして上記メモリ手段に記憶させる手段と、上記スイッチ手段により上記マイクがオンにされている場合には上記スピーカをオフにし、そのスイッチ手段により上記マイクがオフにされている場合に上記スピーカをオンにするスピーカオン・オフ制御手段とを設けたものである。
このようなポータブルミキシング記録装置において、上記マイクから入力される音声信号のレベルを調整する入力レベル調整手段と、その調整後の音声信号のレベルを表示するレベルメータとをさらに設けるとよい。
【０００５】
【発明の実施の形態】
以下、この発明の好ましい実施の形態を図面を参照して説明する。
図１はこの発明の実施形態であるポータブルミキシング記録装置の外観を大まかに示す図であり、（ａ）は平面図、（ｂ）は正面図、（ｃ）は右側面図である。図２はそのポータブルミキシング記録装置の回路構成を模式的に示すブロック回路図、図３はそのポータブルミキシング記録装置の概略構成を示すブロック図、図４はそのポータブルミキシング記録装置におけるマイクスイッチボタンの操作と図２に示したスイッチの動作との関係について説明するための図である。
このポータブルミキシング記録装置は、マイクとスピーカとを内蔵し、メモリカードに記憶された音声信号を再生して出力したり、再生した音声信号とマイクから入力した音声信号とをミキシングしてメモリカードに記録したりすることのできる装置であり、このポータブルミキシング記録装置を用いることにより、各パートを順次入力、オーバーダビングする等して音楽製作を行うことができる。そして、外出先でも気軽に扱えるよう、携帯型の装置として構成されている。
【０００６】
このポータブルミキシング記録装置２０の外観は、おおよそ図１に示す通りである。
すなわち、まず（ａ）の平面図に示す上面には、ＤＣ電源端子５１，メモリカードスロット５４，ＵＳＢ（Universal Serial Bus）端子５５，電源スイッチ５６を備えている。
ＤＣ電源端子５１は、この装置を駆動する直流電源を供給するための端子であり、家庭用の交流電源を直流に変換するアダプタが接続される。ただし、この装置は内蔵するバッテリーによって動作させるようにすることもできる。
メモリカードスロット５４は、フラッシュメモリ，スマートメディア等によるメモリである後述するメモリカード１０を挿入し、データの読み書きを行うためのスロットであり、ＵＳＢ端子５５は図示しないパーソナルコンピュータ（ＰＣ）と接続して音声信号等のデータの授受を行うためのインタフェースである。電源スイッチ５６は、押下することでこの装置の電源のオンオフを行うためのスイッチである。
【０００７】
そして、（ｂ）の正面図に示す正面には、スピーカ５７，５８，マイク５９，６０，表示部６１，マイクスイッチボタン６６，入力フェーダ操作子６９，ソースフェーダ操作子７０，入力レベルメータ７２，ソースレベルメータ７３，再生／停止ボタン７５，録音ボタン７６，ミキシングボタン７７，一時停止ボタン７８，プラスボタン７９，マイナスボタン８０を備えている。
スピーカ５７，５８は、このポータブルミキシング記録装置２０に内蔵するスピーカであり、音声信号を音声に変換して出力するユニットである。そして、メモリカードに記憶された音声信号に基づいて発音したり、各種操作音を発生したりすることができる。また、スピーカをＬとＲの２つ設けているのは、２チャンネルステレオ方式の発音を行うためである。
マイク５９，６０は、このポータブルミキシング記録装置２０に内蔵するマイクであり、音声を電気信号による音声信号に変換し、録音やミキシングの処理に供するためのユニットである。このマイクもＬとＲの２つを設けているが、これは２チャンネルステレオ方式の音声信号を得るためである。
【０００８】
表示部６１は、液晶表示装置によって構成され、状況に応じて曲名，時刻，演奏時間，モード，設定情報等の各種情報を表示するユニットである。
マイクスイッチボタン６６は、マイク５９，６０のオン・オフを切り換えるための操作子であり、このボタンを押下することにより、図２に示すスイッチＳＷ１ｍが切り換わり、マイク５９，６０のオン・オフを制御することができる。そして、これに応じてスイッチＳＷ１ｓも切り換わり、スピーカ５７，５８のオン・オフも制御されるが、この点については後述する。
入力フェーダ操作子６９は、図２に示すマイク５９，６０を含む入力部４０から入力される音声信号の入力レベルを調整する入力レベル調整手段である入力フェーダ６７を操作するための操作子である。ソースフェーダ操作子７０は、後述するメモリカード１０に記憶された音声信号の再生レベルを調整するソースフェーダ６８を操作するための操作子である。
【０００９】
入力レベルメータ７２は、入力フェーダ６７による調整後の入力音声信号のレベルを表示するレベルメータである。この入力レベルメータ７２は複数の発光ダイオード（ＬＥＤ）によって構成され、入力音声信号のレベルが高いほど中央の黒丸で示す位置から左側に向かって点灯するＬＥＤが増すようにしている。なお、図１において、二重丸は点灯しているＬＥＤ、一重丸は点灯していないＬＥＤを示すものとする。ソースレベルメータ７３は、ソースフェーダ６８による調整後の再生音声信号のレベルを表示するレベルメータであり、表示形式は、右側に向かって点灯するＬＥＤが増す以外は、入力レベルメータ７２と同様である。
なお、これらのレベルメータの表示形式はここに示したものに限られることはなく、１つのＬＥＤによって構成して信号レベルに応じて明るさが変わるようにしたり、信号レベルが閾値を超えると色が変わるようにしたりしてもよい。
【００１０】
再生／停止ボタン７５は、再生の開始及び停止の指示や、各種設定の決定キーとして用いるキーである。この再生／停止ボタン７５を押下すると、選択されているファイルの音声信号が再生され、再度押下すると停止される。
録音ボタン７６は、入力音声のデジタル録音の開始を指示するためのキーであり、押下すると録音が開始され、マイク５９，６０あるいは後述する外部マイクから入力される音声信号がメモリカード１０に記録される。そして、録音中に再生／停止ボタン７５が押下されると録音が停止される。
ミキシングボタン７７は、ミキシングによるオーバーダビングの開始を指示するためのキーであり、押下すると選択されているファイルの音声信号が再生され、この音声信号に対してマイク５９，６０あるいは後述する外部マイクから入力される音声信号がミキシングされ、再生中のファイルの名前で上書きされる。このオーバーダビングについては後に詳述する。
【００１１】
一時停止ボタン７８は、再生や録音を一時停止するためのボタンであり、一時停止中に再度押下されると再開される。
プラスボタン７９及びマイナスボタン８０は、再生するファイルを選択するためのキーであり、これらのキーを押下するたびに、表示部６１の表示が切り換わり、次あるいは前のファイルのファイル名が表示される。ここで表示されているファイル名のファイルが選択されたファイルであり、再生／停止ボタン７５を押下するとそのファイルの音声データが再生される。また、ファイルの表示順はアルファベット順、記録日時順等適当に定めればよく、電源投入時には初めのファイルが選択されているものとする。
【００１２】
また、（ｃ）の右側面図に示す右側面には、ヘッドホン端子８１，ボリューム操作子８２，外部マイク端子８５を備えている。
ヘッドホン端子８１には、ヘッドホン等の外部出力装置を接続するための端子であり、ここに接続した外部出力装置に対して、再生した音声信号やミキシング結果の音声信号、あるいは図２に示す入力部４０から入力した音声信号を出力させることができる。ここにヘッドホンやスピーカを接続すればその音声信号に基づく音声を聞くことができるし、レコーダを接続すればその音声信号を記録することができる。
ボリューム操作子８２は、図２に示す出力部５０のボリューム調整器８８を操作し、スピーカ５７，５８や外部出力装置に対する音声信号の出力レベルを調整するための操作子である。
外部マイク端子８５は、マイク等の外部入力装置を接続するための端子であり、内蔵のマイク５９，６０に代えてここに接続した外部入力装置から録音やミキシングに供する音声信号を入力することも可能である。
【００１３】
以上の外観を有するポータブルミキシング記録装置２０は、図３に示すように、ＣＰＵ９１，ＲＡＭ９２，ＲＯＭ９３，入出力部９４，デコード／エンコード部９５，操作部９６，表示器９７，メモリカードインタフェース（Ｉ／Ｆ）９８，ＵＳＢＩ／Ｆ９９を備えており、これらがシステムバス９０によって接続されている。
ＣＰＵ９１は、このポータブルミキシング記録装置２０全体を統括制御する制御部であり、ＲＯＭ９３に格納された各種制御プログラムを実行することによってその制御動作を行う。また、音声信号をミキシングする場合の演算、再生やミキシングを行う場合の音声信号の送り先の設定、操作部９６での操作に従った各部のスイッチの切り換え制御等の処理も行う。
ＲＡＭ９２は、各種データを一時的に記憶したり、ＣＰＵ９１のワークエリアとして使用したりする記憶手段であり、ＲＯＭ９３は、ＣＰＵ９１が実行する各種プログラムを記憶する記憶手段である。
【００１４】
入出力部９４は、入力及び出力に関わるユニットであり、図１に示したマイク５９，６０，スピーカ５７，５８，端子８１，８５等を含む。デコード／エンコード部９５は、図２に示すデコーダ３７とエンコーダ３８によって構成され、出力やミキシングに供するデジタルの音声信号とメモリカード１０に記憶させる音声データ（ここではＭＰ３（MPEG-1 Audio Layer-III）形式）との間で相互にデータ形式の変換を行う回路である。
操作部９６は、操作に関わるユニットであり、図１に示したマイクスイッチボタン６６，操作子６９，７０やスイッチ７５〜８０等を含む。表示器９７は、表示に関わるユニットであり、図１に示した表示部６１及びレベルメータ７２，７３である。
メモリカードＩ／Ｆ９８はメモリカード１０に対してデータの読み書きを行うためのインタフェースであり、ＵＳＢＩ／Ｆ９９は、ＵＳＢによって接続された装置とデータの授受を行うためのインタフェースである。そして、これらはそれぞれメモリカードスロット５４及びＵＳＢ端子５５の内部に設けられている。
【００１５】
このようなポータブルミキシング記録装置２０における回路構成の概略は図２に示すとおりである。なお、図２においてはメモリカードスロット５４にメモリカード１０を挿入した状態を示している。また、２本１組で示す信号線はステレオ方式におけるＬとＲに対応するものであり、その２本の信号線に設けられた対応するスイッチは同じように動作するものとする。
まず、入力部４０においては、音声信号を入力する手段として内蔵のマイク５９，６０と外部マイク端子８５とが設けられている。そして、マイク５９，６０からの信号と外部マイク端子８５からの信号のうち、スイッチＳＷ２ｍによって選択された信号がＡＤ変換器２６に入力してデジタルの音声信号に変換され、入力フェーダ６７でレベル調整を行った後、出力ライン３４に入力する。また、このとき入力レベルメータ７２はレベル調整後の音声信号に基づいて表示を行う。
【００１６】
ここで、スイッチＳＷ２ｍは、外部マイク端子８５に外部入力装置が接続された場合に外部マイク端子８５側を選択し、接続されていない場合にはマイク５９，６０側を選択するように動作するものであり、操作子の操作によって動作するものではない。
また、マイク５９，６０のオン・オフを制御するスイッチとして、操作子としてマイクスイッチボタン６６を有するスイッチＳＷ１ｍが設けられている。このスイッチはスイッチＳＷ２ｍとは独立に動作し、上述したようにマイクスイッチボタン６６が押下されるたびにオン・オフが切り換わる。従って、スイッチＳＷ１ｍがオンであり、かつ外部入力装置が接続されていない場合にのみ、マイク５９，６０からの音声信号がＡＤ変換器２６に入力することになる。
【００１７】
一方、メモリカード１０においては、ＭＰ３形式の音声データとしてソースファイル１１又はミックスファイル１２に音声信号が記憶されている。ソースファイル１１は、出力やミキシングに供すべき音声信号を記憶しているファイルであり、ＵＳＢＩ／Ｆ９９を介して接続された図示しないＰＣから供給を受けたり、予め他の装置にメモリカード１０を装着して既存のデータを記憶させておくようにしてもよい。ミックスファイル１２は、このポータブルミキシング記録装置２０において録音やミキシングを行って得た音声データを記憶するファイルである。しかし、このミックスファイル１２も一旦作成されてしまえばソースファイル１１として用いて再生等に供することができるので、ソースファイル１１との区別は便宜的なものである。
【００１８】
メモリカード１０に記憶されている音声信号を再生する場合、再生すべきソースファイル１１からＭＰ３形式の音声データとして記憶されている音声信号が順次読み出され、デコーダ３７によって出力に供する音声信号に変換される。ここでは、デコーダ３７と、音声データの読み出しを制御するＣＰＵ９１とが再生手段として機能する。
変換された音声信号は、ソースフェーダ６８でレベル調整を受けた後、出力ライン３４に入力する。また、このときソースレベルメータ７３はレベル調整後の音声信号に基づいて表示を行う。出力ライン３４に入力した音声信号は、出力部５０のＤＡ変換器４２に入力してスピーカ５７，５８やヘッドホン端子８１に対する出力を行うためのアナログの音声信号に変換され、ボリューム調整器８８によって信号のレベルを調整される。
【００１９】
出力部５０には、音声信号を出力する手段として内蔵のスピーカ５７，５８とヘッドホン端子８１とが設けられており、レベル調整後の音声信号は、スピーカ５７，５８とヘッドホン端子８１のうち、スイッチＳＷ２ｓによって選択された方に出力される。ここで、スイッチＳＷ２ｓは、ヘッドホン端子８１に外部出力装置が接続された場合にヘッドホン端子８１側を選択し、接続されていない場合にはスピーカ５７，５８側を選択するように動作するものであり、操作子の操作によって動作するものではない。
【００２０】
また、スピーカ５７，５８のオン・オフを制御するスイッチとして、スイッチＳＷ１ｓが設けられており、このスイッチはスイッチＳＷ２ｓとは独立に動作し、マイクスイッチボタン６６が押下されるたびにスイッチＳＷ１ｍと連動してオン・オフが切り換わる。ただし、図４に示すように、スイッチＳＷ１ｍがオンの時にはスイッチＳＷ１ｓはオフ、スイッチＳＷ１ｍがオフの時にはスイッチＳＷ１ｓはオンというように、スイッチＳＷ１ｍとスイッチＳＷ１ｓは同時にオンにならないようにしている。ここでは、このスイッチの動作の制御を行うＣＰＵ９１がスピーカオン・オフ制御手段として機能する。そして、このような制御を行うことにより、マイク５９，６０とスピーカ５７，５８とが同時にオンにならないようにし、マイクとスピーカとの両方を内蔵するが装置が小型であるためその距離を大きく離せないような場合でも、ハウリングを防止することができる。
【００２１】
このように、音声信号の出力先はスイッチＳＷ１ｓとスイッチＳＷ２ｓによって制御され、スイッチＳＷ１ｓがオンであり、かつ外部出力装置が接続されていない場合にのみ、音声信号がスピーカ５７，５８に入力し、音声に変換されて出力されることになる。そして、外部出力装置が接続されていれば、音声信号はヘッドホン端子８１を介して外部出力装置に対して出力される。
このようにして、メモリカード１０に記憶されている音声信号を再生して出力することができる。
【００２２】
ミキシングを行う場合には、再生の場合と同様にデコーダ３７によってデコードされ、ソースフェーダ６８によってレベル調整を受けた音声信号に加え、入力部４０から入力され、入力フェーダ６７によってレベル調整を受けた音声信号も出力ライン３４に入力する。そして、これらの音声信号にはＣＰＵ９１によってミキシング演算処理（主として加算処理）が施される。そして、この演算処理によって得られたミキシング後の音声信号はエンコーダ３８によってＭＰ３形式の音声データに変換され、メモリカードのミックスファイル１２に記憶される。
【００２３】
このような処理により、メモリカード１０に記憶されている音声信号とマイク５９，６０あるいは外部マイク端子８５に接続された外部入力装置から入力される音声信号とをミキシングしてメモリカード１０に記憶させることができる。この際、オーバーダビングをする場合には、ミキシングが終了した時点でミックスファイル１２のファイル名を読み出したソースファイル１１のファイル名に変更する。このようにすれば、実質的にはミキシング後の音声信号で元の音声信号を上書きしたことになる。また、このときに、もとのソースファイル１１のファイル名を変更してアンドゥーファイルとして残しておくようにすれば、オーバーダビングしたミキシング結果が気に入らなかった場合には容易に元の状態に戻すことができる。
もちろん、ミキシングを行う際にも、ミキシング後の音声信号を出力部５０によって出力することは可能である。このとき、上述したように内蔵のマイクと内蔵のスピーカとが同時にオンにならないようにしているので、ハウリングを防止し、音質の劣化を防止することができる。この点は、オーバーダビングを繰り返す場合に特に有効である。
【００２４】
ミキシングでない新規録音を行う場合には、入力部４０から入力され、入力フェーダ６７によってレベル調整を受けた後で出力ライン３４に入力した音声信号が、エンコーダ３８によってＭＰ３形式の音声データに変換され、メモリカードのミックスファイル１２に記憶される。ここではミキシングを行っていないが、便宜上ミックスファイル１２と呼ぶものとする。そして、録音停止が指示されると、ミックスファイル１２のファイル名を新たなソースファイル１１のファイル名に変更して録音処理を終了する。従って、見かけ上はメモリカード１０に新たなファイルを作成してそのファイルに録音を行ったことになる。
この録音の際にも、入力部４０から入力された音声信号を出力部５０によって出力することが可能であるが、マイクとスピーカが同時にオンにならないようにしているのでハウリングを防止し、音質の劣化を防止することができることは、ミキシングの場合と同様である。
【００２５】
ここで、このポータブルミキシング記録装置２０においては、マイク５９，６０のオン・オフは、再生，録音，ミキシング等の動作とは無関係にマイクスイッチボタン６６の押下によって切り換えることができる。従って、録音やミキシングを行う前にマイク５９，６０をオンして録音やミキシングに供する予定の音声を入力し、入力レベルメータ７２で音声信号のレベルを確認しながら入力フェーダ操作子６９を操作することによって、入力レベルの調整を容易に行うことができる。そして、この調整の際にもマイクとスピーカが同時にオンにならないようにしているので、ハウリングのない状態で適切なレベル調整を行うことができる。
【００２６】
なお、以上説明したポータブルミキシング記録装置においては、音声信号を入力する手段として内蔵のマイク５９，６０と外部マイク端子８５のみを設けた例について説明したが、これらに加えてライン入力を受け付けるＡＵＸ端子やエレキギター等を接続するインスト端子等を設け、これらのうちから入力に用いる端子を任意に選択できるようにしてもよい。また、音声信号を記憶するためのメモリの種類やデータの形式についても上述したものに限られることはない。その他、この発明の趣旨を逸脱しない範囲で上述した実施形態に適宜変更が可能であることも、言うまでもない。
【００２７】
【発明の効果】
以上説明してきたように、この発明のポータブルミキシング記録装置によれば、内蔵のマイクと内蔵のスピーカとが同時にオンにならないようにしているので、ハウリングを防止し、録音やミキシングを行う際の音質の劣化を防止することができる。また、内蔵するマイクのオン・オフを、再生，録音，ミキシング等の動作とは無関係に切り換えることができるので、録音やミキシングを行う前にもマイクをオンにして入力レベルの調整を容易に行うことができる。そして、この調整の際にもマイクとスピーカとが同時にオンにならないようにしているので、ハウリングのない状態で適切なレベル調整を行うことができる。
【図面の簡単な説明】
【図１】この発明の実施形態であるポータブルミキシング記録装置の外観を大まかに示す図であり、（ａ）は平面図、（ｂ）は正面図、（ｃ）は右側面図である。
【図２】そのポータブルミキシング記録装置の回路構成を模式的に示すブロック回路図である。
【図３】そのポータブルミキシング記録装置の概略構成を示すブロック図である。
【図４】そのポータブルミキシング記録装置におけるマイクスイッチボタンの操作と図２に示したスイッチの動作との関係について説明するための図である。
【符号の説明】
１０…メモリカード、２０…ポータブルミキシング記録装置、３４…出力ライン、４０…入力部、５０…出力部、５７，５８…スピーカ、５９，６０…マイク、６１…表示部、６６…マイクスイッチボタン、６７…入力フェーダ、６８…ソースフェーダ、６９…入力フェーダ操作子、７０…ソースフェーダ操作子、７２…入力レベルメータ、７３…ソースレベルメータ、８１…ヘッドホン端子、８５…外部マイク端子、９１…ＣＰＵ、９２…ＲＡＭ、９３…ＲＯＭ
【図１】
0003700680.tif 000002
【図２】
0003700680.tif 000003
【図３】
0003700680.tif 000004
【図４】
0003700680.tif 000005